(57)【要約】【課題】受信性能を向上させた受信装置を得ること。【解決手段】受信装置１００は、受信信号に含まれている既知信号に基づいて伝搬路を推定する伝搬路推定部３−１，３−２と、差動時空間符号化された信号である受信信号を伝搬路推定部３−１，３−２による推定結果に基づいて等化する線形等化部４と、線形等化部４で等化された後の信号を複数のシンボルにより構成されたブロック単位で判定するブロック判定部５と、を備え、伝搬路推定部３−１，３−２はブロック判定部５における判定結果に基づいて伝搬路の推定結果を更新する。【選択図】図１
2016154305.tif 000002
【特許請求の範囲】
【請求項１】
受信信号に含まれている既知信号に基づいて伝搬路を推定する伝搬路推定手段と、
差動時空間符号化された信号である前記受信信号を前記伝搬路推定手段による推定結果に基づいて等化する等化手段と、
前記等化手段で等化された後の信号を複数のシンボルにより構成されたブロック単位で判定するブロック判定手段と、
を備え、
前記伝搬路推定手段は前記ブロック判定手段における判定結果に基づいて前記伝搬路の推定結果を更新する、
ことを特徴とする受信装置。
【請求項２】
前記等化手段を線形等化器とすることを特徴とする請求項１に記載の受信装置。
【請求項３】
前記等化手段は、
前記伝搬路推定手段による推定結果に基づくタップ係数を使用したフィルタリングを前記差動時空間符号化された信号に対して行うフィードフォワードフィルタと、
前記伝搬路推定手段による推定結果に基づくタップ係数を使用したフィルタリングを前記判定結果に対して行うフィードバックフィルタと、
前記フィードフォワードフィルタから出力された信号と前記フィードバックフィルタから出力された信号とを加算して前記ブロック判定手段へ出力する加算部と、
を備えることを特徴とする請求項１に記載の受信装置。
【発明の詳細な説明】
【技術分野】
【０００１】
本発明は、差動時空間符号化された信号を受信する受信装置に関する。
【背景技術】
【０００２】
無線信号伝送に際してフェージングなどの影響を抑えるための技術として、ダイバーシチ技術が使用されている。例えば、複数の送信アンテナを用いて特定の規則で信号を送出することによりダイバーシチ効果を得ることが可能な時空間ブロック符号（ＳＴＢＣ：Space-Time  Block  Coding）は、受信側の処理が簡易であるなどの理由から、さまざまなシステムに利用されている。
【０００３】
ＳＴＢＣを適用したシステムでは、受信側において伝搬路推定が必要である。これに対して、差動符号化をＳＴＢＣのブロック単位で行うことで伝搬路推定を不要にする差動時空間符号化（ＤＳＴＢＣ：Differential  Space-Time  Block  Coding）が非特許文献１に開示されている。ＤＳＴＢＣを適用したシステムでは、受信側での伝搬路推定を不要としつつダイバーシチ効果を得ることができる。たとえば、２アンテナ送信によるＤＳＴＢＣでは、２シンボルを１つのブロックとして構成し、２つのブロックのデータを用いて差動符号化を行い、受信側では２つのブロックの受信データを差動復号化することでデータを復調する。
【０００４】
一方、一般的な無線通信システムでは、同期ワード（ＳＷ：Sync  Word）やユニークワード等の信号を用いて、受信側が相関演算などによって同期するための手段を提供する必要がある。たとえば、送信側では、受信側が既知の信号パターンであるＳＷの系列を送信し、受信側では、既知のＳＷの系列と受信信号との相関演算を行い、ピーク検出などの手法によって、フレームやシンボルのタイミングを抽出する。
【０００５】
また、無線通信においては、各種の干渉が性能劣化の要因となりうることが知られている。例えば、広帯域伝送を適用するシステムにおいては、伝搬路が周波数選択性を持つことで信号が歪み、正しく復調できないことが起こりうる。この現象は、マルチパス環境における遅延波によって発生し、伝搬路の特性、すなわち、遅延波数、各遅延波の位相関係、大きさによって歪み方が様々に変化する。そのため、等化処理、信号を狭帯域化するＯＦＤＭ（Orthogonal  Frequency  Division  Multiplexing）などのマルチキャリア伝送方式を用いることで対策する。特に、等化処理は、一般に、受信される信号の先行波および遅延波を推定し、位相などを調整して合成することで、遅延波を有効に活用し、性能改善を図ることができる。しかしながら、一般に、先行波および遅延波の推定のためにパイロット系列を必要とする。伝搬路推定値をもとにＳＴＢＣに対応する等化器に設定するフィルタ用タップ係数を求める方法は、非特許文献２などで検討されている。非特許文献２では、線形等化器、判定帰還型等化器を適用する手法が開示されている。また、高速に変動する伝搬路に対しては、既知系列以外のデータ系列部の判定結果に基づいて伝搬路追従を行うトラッキングが利用される。ＳＴＢＣ信号に対するトラッキングは、たとえば非特許文献３で開示されている。
【０００６】
しかしながら、非特許文献２に記載の等化技術や非特許文献３に記載のトラッキング技術をＤＳＴＢＣで差動符号化された信号であるＤＳＴＢＣ信号に対応させる方法については、十分に検討されていない。ＤＳＴＢＣで用いる差動時空間変調では、送信される信号のコンステレーションがＱＰＳＫ（Quadrature  Phase  Shift  Keying）の場合においても４点を超える候補点数となる（非特許文献４、特許文献１など参照）。よって、等化出力をもとに伝搬路のトラッキングをする伝搬路推定や、判定帰還型等化器（ＤＦＥ：Decision  Feedback  Equalization）を適用する場合、候補点が多数になり候補点間の信号点間距離が小さくなる。そのため、誤判定により、伝搬路推定および判定帰還等化の性能が劣化してしまうという問題があった。また、差動復号化後の判定系列を再符号化してトラッキングなどに用いる方式は、差動符号化系列のうち一部が誤った場合、その後の系列に誤りが波及する誤り伝搬の問題があり、再符号化の適用は困難であった。また、ビームフォーミングによって先行波と遅延波のいずれかを選択的に受信する技術も考えられ、例えば、先行波を選択受信する場合には遅延波にヌルを合わせて受信する。しかしながら、先行波と遅延波に重なりが生じている場合には先行波だけを受信するのが難しい。また、高速に変動する伝搬路に対応することは容易ではない。
【先行技術文献】
【特許文献】
【０００７】
【特許文献１】特開２０１４−１２０８３６号公報
【非特許文献】
【０００８】
【非特許文献１】Ｖ．Ｔａｒｏｋｈ  ａｎｄ  Ｈ．Ｊａｆａｒｋｈａｎｉ，”Ａ  Ｄｉｆｆｅｒｅｎｔｉａｌ  Ｄｅｔｅｃｔｉｏｎ  Ｓｃｈｅｍｅ  ｆｏｒ  Ｔｒａｎｓｍｉｔ  Ｄｉｖｅｒｓｉｔｙ，”ＩＥＥＥ  Ｊｏｕｒｎａｌ  ｏｎ  Ｓｅｌｅｃｔｅｄ  Ａｒｅａｓ  ｉｎ  Ｃｏｍｍｕｎｉｃａｔｉｏｎｓ，Ｖｏｌ．１８，ｐｐ１１６９−１１７４，Ｊｕｌｙ  ２０００．
【非特許文献２】Ｗ．  Ｈ．  Ｇｅｒｓｔａｃｋｅｒ，  Ｆ．  Ｏｂｅｒｎｏｓｔｅｒｅｒ，  Ｒ．  Ｓｃｈｏｂｅｒ，  Ａ．  Ｔ．  Ｌｅｈｍａｎｎ，  Ａ．  Ｌａｍｐｅ，  ａｎｄ  Ｐ．  Ｇｕｎｒｅｂｅｎ，  ”Ｅｑｕａｌｉｚａｔｉｏｎ  ｃｏｎｃｅｐｔｓ  ｆｏｒ  Ａｌａｍｏｕｔｉ’ｓ  ｓｐａｃｅ−ｔｉｍｅ  ｂｌｏｃｋ  ｃｏｄｅ，”  ＩＥＥＥ  Ｔｒａｎｓ．  Ｃｏｍｍｕｎ．，ｖｏｌ．５２，ｎｏ．７,  ｐｐ．  １１７８−１１９０，  Ｊｕｌｙ  ２００４．
【非特許文献３】Ｎ．  Ｎｅｆｅｄｏｖ  ａｎｄ  Ｇ．  Ｐ．  Ｍａｔｔｅｌｌｉｎｉ，”Ｅｖａｌｕａｔｉｏｎ  ｏｆ  ｐｏｔｅｎｔｉａｌ  ｔｒａｎｓｍｉｔ  ｄｉｖｅｒｓｉｔｙ  ｓｃｈｅｍｅｓ  ｗｉｔｈ  ｉｔｅｒａｔｉｖｅ  ｒｅｃｅｉｖｅｒｓ  ｉｎ  ＥＤＧＥ，”  Ｐｒｏｃ．  ＩＥＥＥ  ＰＩＭＲＣ，  ｖｏｌ．５，  ｐｐ．２０８７−２０９１，  Ｓｅｐｔ．  ２００２．
【非特許文献４】Ｘ．  Ｓｈａｏ  ａｎｄ  Ｊ．  Ｙｕａｎ，”Ａ  ｎｅｗ  ｄｉｆｆｅｒｅｎｔｉａｌ  ｓｐａｃｅ−ｔｉｍｅ  ｂｌｏｃｋ  ｃｏｄｉｎｇ  ｓｃｈｅｍｅ，”  Ｐｒｏｃ．  ＩＣＣＳ  ２００２，  ｖｏ．  １，  ｐｐ．  １８３−１８７，  Ｎｏｖ．２００２．
【発明の概要】
【発明が解決しようとする課題】
【０００９】
上記の差動復号化後の判定系列を再符号化してトラッキングなどに用いる方式における誤り伝搬の問題は、差動復号後の判定系列ではなく、差動復号前の判定系列をトラッキングに用いることにより回避することが可能である。しかしながら、この場合、コンステレーションが複雑になること、すなわち、信号点間距離が小さくなることにより誤判定が増加するという別の問題がある。誤判定が増加すると、トラッキングやフィードバック用信号の品質が劣化してしまい、高速な伝搬路時変動のある環境で不可欠なチャネルトラッキングおよび判定帰還型等化を精度よく実現することが難しい。このように、従来は、誤り伝搬の問題および高速な伝搬路時変動のある環境での受信性能劣化の問題の双方を解決することが難しいという問題があった。
【００１０】
本発明は、上記に鑑みてなされたものであって、受信性能を向上させた受信装置を得ることを目的とする。
【課題を解決するための手段】
【００１１】
上述した課題を解決し、目的を達成するために、本発明は、受信信号に含まれている既知信号に基づいて伝搬路を推定する伝搬路推定手段と、差動時空間符号化された信号である前記受信信号を伝搬路推定手段による推定結果に基づいて等化する等化手段と、等化手段で等化された後の信号を複数のシンボルにより構成されたブロック単位で判定するブロック判定手段と、を備えている。伝搬路推定手段はブロック判定手段における判定結果に基づいて伝搬路の推定結果を更新する。
【発明の効果】
【００１２】
本発明によれば、受信性能を向上させた受信装置を実現できる、という効果を奏する。
【図面の簡単な説明】
【００１３】
【図１】実施の形態１の受信装置の構成例を示す図
【図２】実施の形態２の受信装置の構成例を示す図
【発明を実施するための形態】
【００１４】
以下に、本発明の実施の形態にかかる受信装置を図面に基づいて詳細に説明する。なお、この実施の形態によりこの発明が限定されるものではない。
【００１５】
実施の形態１．
はじめに、本発明にかかる受信装置が受信する信号について説明する。実施の形態１および後述する実施の形態２の受信装置は、差動時空間符号化方式（以下、ＤＳＴＢＣ方式）により差動符号化された信号を受信する。
【００１６】
ＤＳＴＢＣを用いた差動符号化は、次の式（１）で表現することができる。
【００１７】
【数１】
2016154305.tif 000003
【００１８】
ここで、Ｃ（ｋ）はあるブロックｋにおける差動符号化結果と対応する行列である。Ｓ（ｋ）はマッピング結果、すなわち差動符号化前の信号と対応する行列である。たとえばＱＰＳＫ伝送では、Ｓ（ｋ）の要素は一般的なＱＰＳＫ変調点とその符号反転、複素共役で構成される。差動符号化は、自らの出力Ｃ（ｋ−１）を用いて次のブロックの出力Ｃ（ｋ）を計算する。例えば、２つのアンテナを用いてＤＳＴＢＣ送信を行うものとすると、ブロックは２シンボルを単位に構成することになり、行列は２×２の大きさとなる。以降、２アンテナＤＳＴＢＣを仮定して説明する。この例において、行列Ｓ（ｋ）およびＣ（ｋ）は、次の式（２）のように構成される。
【００１９】
【数２】
2016154305.tif 000004
【００２０】
Ｃ（ｋ）の行列要素は、２つのアンテナと２つのシンボル（ＤＳＴＢＣでは、時間と対応）で送信される場合の各アンテナの出力波形と対応しており、たとえばブロックを構成する２つのシンボルのうち前のシンボルでｃ（１，ｋ）、ｃ（２，ｋ）を２本のアンテナで送り、次のシンボルで−ｃ*（２，ｋ）、ｃ*（１，ｋ）を送ることを意味する。以降の説明についても上記の通りにシンボルとアンテナに信号を対応づけて説明するが、実際にはブロック内のどの時刻（シンボルタイミング）にどの要素をどのアンテナで送信するかについては、一意に限定されない。たとえば２つのシンボルで送信される信号の順番を逆転してもよい。上述の通り差動符号化の演算結果は、適当に空間（アンテナ）、時間（シンボルタイミング）にアサインし、周波数変換やフィルタリングなどを施し、所望の搬送波上に変調してアンテナから送出される。一方、マッピング信号の行列Ｓ（ｋ）についても、各ブロックｋについて同様に２つのシンボルｓ（１，ｋ）、ｓ（２，ｋ）を、それぞれの複素共役と対応させる形で配置される。
【００２１】
以下、上述したＤＳＴＢＣ方式により差動符号化された信号であるＤＳＴＢＣ信号を受信する実施の形態１の受信装置について説明する。実施の形態１では、一例として、受信装置が２本のアンテナで信号を受信する場合について説明する。また、受信装置が受信するＤＳＴＢＣ信号の送信元である対向装置は２本のアンテナで信号を送信するものとする。なお、アンテナ数をこれに限定するものではない。
【００２２】
図１は、実施の形態１の受信装置１００の構成例を示す図である。受信装置１００は、無線信号を受信するアンテナ１−１および１−２と、各アンテナが受信した無線信号をベースバンド信号に変換するＲＦ部２−１および２−２と、受信した信号の送信元である対向装置と自装置との間の伝搬路の状態を推定する伝搬路推定部３−１および３−２と、ＲＦ部２−１および２−２から入力されるベースバンド信号に対して線形処理を実行して伝搬路で受けた影響が補償されたベースバンド信号を生成する線形等化器である線形等化部４と、線形等化部４から出力される信号をブロック単位で判定するブロック判定部５と、ブロック判定部５における判定結果を差動復号する差動時空間復号部６と、差動時空間復号部６における差動復号結果に対して誤り訂正処理を行う誤り訂正復号部７と、を備える。
【００２３】
次に、受信装置１００の動作について説明する。ＲＦ部２−１および２−２は、一般的なシングルキャリア受信方式のＲＦ部と同様の処理、具体的には、ダウンコンバージョン処理、帯域制限処理等を無線周波数帯の受信信号に対して行い、ベースバンド信号に変換する。ＲＦ部２−１および２−２はシンボル同期された１倍オーバサンプルの信号または数倍オーバサンプルの信号をベースバンド信号としてそれぞれ出力する。ＲＦ部２−１からの出力信号は伝搬路推定部３−１および線形等化部４に入力され、ＲＦ部２−２からの出力信号は伝搬路推定部３−２および線形等化部４に入力される。
【００２４】
伝搬路推定手段である伝搬路推定部３−１および３−２は、ＲＦ部２−１および２−２から出力されたベースバンド信号から、既知信号であるシンクワードを取り出し、取り出したシンクワード、すなわち伝搬路の影響を受けた状態のシンクワードと、受信装置１００の内部で生成したシンクワード、すなわち、伝搬路の影響を受けていない状態のシンクワードとに基づいて、遅延波を含めた伝搬路推定を行う。たとえば、２アンテナ送信、３タップの伝搬路を仮定した伝搬路推定処理では、伝搬路推定部３−１および３−２は、それぞれ６つの要素を推定する。ここで、伝搬路推定は、公知のＳＴＢＣ向け伝搬路推定技術、その他のシングルキャリア等化技術と同様の方法で実施する。伝搬路推定部３−１および３−２における推定結果は線形等化部４に出力される。ここで、伝搬路推定部３−１および３−２は、後述するブロック判定部５から判定結果を受け取ると、受け取った判定結果に基づいて伝搬路の推定結果を更新する。
【００２５】
等化手段である線形等化部４は、伝搬路推定部３−１および３−２から受け取った推定結果に基づいて、等化用の時空間フィルタのタップ係数を生成するとともに、生成したタップ係数を設定した時空間フィルタを使用してＲＦ部２−１および２−２からの出力信号を等化する。タップ係数は公知のＳＴＢＣ向けの等化器と同様に、例えば、ＺＦ（Ｚｅｒｏ  Ｆｏｒｃｉｎｇ）規範、ＭＭＳＥ（Ｍｉｎｉｍｕｍ  Ｍｅａｎ  Ｓｑｕａｒｅ  Ｅｒｒｏｒ）規範で生成する。たとえば、ＭＭＳＥ規範でフィルタ係数を生成する場合、参照信号と受信信号の最小二乗誤差が最小となるようにフィルタ係数を生成する。本実施の形態では、２つのアンテナから送信された信号を受信して等化処理を行うため、線形等化部４では、各送信アンテナから送信された信号を受信した信号からシンボル間干渉が取り除かれた信号が等化結果となる。すなわち、２系統の等化結果が得られる。線形等化部４は、等化処理により得られた２系統の等化結果を合成し、等化後のベースバンド信号としてブロック判定部５へ出力する。なお、ＤＳＴＢＣでは元の情報は１つのストリームであるため、線形等化部４は一方の送信ブランチの信号を等化処理により復元するか、あるいは、ブロックを構成する２シンボルのうち１シンボル目の２つの信号を等化処理により復元できればよく、一方の送信ブランチの等化結果または２シンボルのうち１シンボル目の２つの信号の等化結果を等化後のベースバンド信号として出力してもよい。
【００２６】
ブロック判定手段であるブロック判定部５は、線形等化部４から入力された等化後のベースバンド信号を１ブロック単位で判定する。すなわち、送信されうる信号点パターンと等化後のベースバンド信号とを比較し、どの信号点パターンが送信されたのかを判定する。具体的には、最も近い信号点が送信されたと判定する。ここで、１ブロックは、信号の送信元である対向装置が差動符号化を実施する単位である。本実施の形態では信号の送信元である対向装置が２本のアンテナを使用しており、１ブロックは２シンボルで構成されている。ブロック判定部５は、２シンボルで送信されうる全ての信号の組み合わせについて、等化後のベースバンド信号との距離を算出し、等化後のベースバンド信号との距離が最も近い候補が送信されたと判断する。たとえば、送信信号の候補（ｃ（１，ｋ）とｃ（２，ｋ）が取り得る組み合わせのうちの１つ）と等化後のベースバンド信号の二乗誤差を算出し、２シンボル（１ブロック）間での二乗誤差の和が最も小さい送信信号の候補がそのブロックで送信されたと判定する。ブロック判定部５は、送信されうる１ブロック単位の全ての信号点パターンを記憶しているメモリと、線形等化部４から出力された信号とメモリで記憶している各信号パターンとの距離を算出して受信した信号パターンを判定するプロセッサとにより実現することができる。
【００２７】
従来の判定処理では差動復号後の信号を１シンボルごとに判定を行うのに対して、実施の形態１のブロック判定部５は差動復号の前段階で判定を行うため、コンステレーションの候補は多数の点に分布する。しかしながら、例えば、ＢＰＳＫ（Binary  Phase  Shift  Keying）またはＱＰＳＫで変調された信号をＤＳＴＢＣで差動符号化して得られた信号は、ブロックの１シンボル目と２シンボル目に関連性があるため、１シンボル目が決まれば、２シンボル目のコンステレーションは、一定の制限を受けた範囲に限定される。また、マッピングや差動符号化の初期値次第では１シンボル目と２シンボル目が１対１の関係で連動した対応になることがある。すなわち、上述の連動関係を考慮してブロック判定の候補を選び出すことによって、従来のように１シンボルずつ判定する場合と比較して候補点の数を削減して信号点間距離を平均的に広げ、判定精度を改善することができる。実際には、無線機の設計段階で差動符号化前の信号ｓ（１，ｋ）、ｓ（２，ｋ）と初期値ｃ（１，ｋ）、ｃ（２，ｋ）が決められていることが多いため、あらかじめ取り得る候補点ｃ（１，ｋ）とｃ（２，ｋ）の組み合わせをシミュレーションなどにおいて求めておき、その組み合わせパターンを判定部の各ブロックにおける判定候補として使用してよい。また、差動符号化された信号に関するブロック候補、すなわち２シンボル分の送信信号の候補の組み合わせと、他のブロック候補との距離は、差動時空間符号化処理がユニタリ行列で実施される場合、差動符号化前の距離と同一になる。そのため、信号点間の距離が小さくなるのを回避できる。ＢＰＳＫ、ＱＰＳＫに対してＤＳＴＢＣを適用した場合はユニタリ行列で差動符号化が行われるため、１ブロックすなわち２シンボルをまとめて判定を行うブロック判定処理を実施することにより、上記の等化後信号に対して従来と同様のシンボル単位での判定を行う場合と比較して、高い判定性能が得られる。
【００２８】
ブロック判定部５における判定結果は、差動時空間復号部６および伝搬路推定部３−１，３−２へ入力される。
【００２９】
伝搬路推定部３−１，３−２は、ブロック判定部５から入力された判定結果をトラッキング用送信信号パターンとして使用し、伝搬路の時変動に追従するためのトラッキング処理を行い、伝搬路推定値を更新する。トラッキング処理は、たとえばＬＭＳ（Least  Mean  Square）やＲＬＳ（Recursive  Least  Square）などのアルゴリズムを利用して行う。ここで、シンクワード系列がフレームの先頭以外の場所に配置されており、シンクワードよりも過去の信号と未来の信号とをそれぞれ復号する必要がある場合、前者の信号については時間をさかのぼる方向にトラッキングし、後者の信号については時間を追う方向にトラッキングを構成してもよい。時間をさかのぼるトラッキングをする場合は、受信信号系列をいったんバッファし、シンクワード系列等、処理の起点となるデータを受信してからトラッキングを開始する。トラッキング処理によって更新された伝搬路推定値は線形等化部４に入力され、線形等化部４は、入力された伝搬路推定値を用いて等化用フィルタタップ係数を更新する。以上のように構成することで、シンクワード等既知系列を含むＤＳＴＢＣ信号の伝送において、伝搬路の時間変動や周波数選択性がある状況でも、送信された信号系列を復元することができるようになる。
【００３０】
差動時空間復号部６は、ブロック判定部５から入力された判定結果を差動時空間復号し、差動時空間復号結果を誤り訂正復号部７へ出力する。差動時空間復号部６は、一つ前のブロックに対応する入力値を用いて差動復号し、たとえばＱＰＳＫ伝送では差動復号により元のＱＰＳＫのマッピング系列を取り出す処理を行う。
【００３１】
誤り訂正復号部７の処理は、ＤＳＴＢＣを適用していない一般的な伝送システムと同様の受信処理（デマッピング処理を含む）とすることができる。なお、誤り訂正符号化を用いないシステムでは、差動時空間復号結果に対して、硬判定処理を行い、判定結果を出力する。なお、図１ではブロック判定部５の出力を差動時空間復号部６に入力する構成としたが、ブロック判定部５の出力はすでに判定処理によって補正された信号が出力されているため、差動時空間復号部６では誤り訂正復号部７に有効な軟判定データを生成することができない。このため、ブロック判定前の信号、すなわち線形等化部４からの出力信号を差動時空間復号部６に入力するように構成し、差動時空間復号部６では軟判定を行って軟判定データを生成し、誤り訂正復号部７が軟判定データに基づく誤り訂正復号処理を行えるように構成してもよい。
【００３２】
このように、実施の形態１の受信装置１００は、線形等化部４での等化結果に対する判定を１ブロックごとに行い、この判定結果を使用して伝搬路の時変動に追従するためのトラッキング処理を行うこととした。これにより、差動復号後の判定結果を再符号化してトラッキングで使用する場合に問題となる誤り伝搬の発生を回避することができる。また、差動復号前にトラッキング処理で必要な判定処理を行うことによる信号点間距離の狭さに起因する誤判定を抑えることができ、１シンボルごとに判定を行う場合と比較して、判定性能を向上させることができる。すなわち、１シンボルごとに判定を行う場合と比較して、トラッキング性能および等化性能を向上させることができる。
【００３３】
実施の形態２．
図２は、実施の形態２の受信装置１００ａの構成例を示す図である。受信装置１００ａは、図１に示した実施の形態１の受信装置１００の線形等化部４をＤＦＥ等化用フィルタ部１１に置き換えた構成である。ＤＦＥ等化用フィルタ部１１以外の構成については実施の形態１と同様であるため、実施の形態１の受信装置１００と同じ符号を付して説明を省略する。
【００３４】
ＤＦＥ等化用フィルタ部１１は、判定帰還型等化器（ＤＦＥ：Decision  Feedback  Equalizer）である。
【００３５】
ＤＦＥ等化用フィルタ部１１は、フィードフォワードフィルタリング処理を行うＦＦフィルタ１２と、フィードバックフィルタリング処理を行うＦＢフィルタ１３と、ＦＦフィルタ１２から出力されたフィルタリング結果とＦＢフィルタ１３から出力されたフィルタリング結果を加算する加算部１４と、を備える。
【００３６】
受信装置１００ａの動作について説明する。ＲＦ部２−１からの出力信号は伝搬路推定部３−１およびＤＦＥ等化用フィルタ部１１のＦＦフィルタ１２に入力され、ＲＦ部２−２からの出力信号は伝搬路推定部３−２およびＤＦＥ等化用フィルタ部１１のＦＦフィルタ１２に入力される。伝搬路推定部３−１および３−２における推定結果である伝搬路推定値は、ＤＦＥ等化用フィルタ部１１のＦＦフィルタ１２およびＦＢフィルタ１３に出力される。ＦＦフィルタ１２およびＦＢフィルタ１３は、伝搬路推定部３−１および３−２から出力された伝搬路推定値に基づいて、フィルタのタップ係数を生成する。タップ係数は、公知のＳＴＢＣに対応したＤＦＥのタップ係数と同様に、例えば、ＺＦ規範、ＭＭＳＥ規範で生成される。
【００３７】
ＦＦフィルタ１２は、ＲＦ部２−１および２−２から入力された信号に対して、伝搬路推定部３−１および３−２から出力された伝搬路推定値に基づいて生成したタップ係数を使用してフィルタリングを行う。フィルタリング後の信号、すなわち、ＲＦ部２−１からの入力信号に対するフィルタリング結果、およびＲＦ部２−２からの入力信号に対するフィルタリング結果は、合成された後、加算部１４に入力される。
【００３８】
ＦＢフィルタ１３は、ブロック判定部５から入力された判定結果に対して、伝搬路推定部３−１および３−２から出力された伝搬路推定値に基づいて生成したタップ係数を使用してフィルタリングを行う。フィルタリング後の信号は加算部１４に入力される。
【００３９】
加算部１４は、ＦＦフィルタ１２から入力された信号と、ＦＢフィルタ１３から入力された信号とを加算、すなわち合成し、合成後の信号をブロック判定部５へ出力する。
【００４０】
ＤＦＥのフィードバックフィルタリング処理では、判定結果をフィードバックする必要がある。実施の形態２の受信装置１００ａでは、差動復号後の判定系列を再符号化する代わりに、ブロック判定部５における判定結果をＤＦＥ等化用フィルタ部１１にフィードバックする。ＤＦＥ等化用フィルタ部１１ではＦＢフィルタ１３がフィードバックされた判定結果に対してフィルタリングを行う。ブロック判定部５における判定結果は、実施の形態１の受信装置１００と同様に、伝搬路推定部３−１および３−２におけるトラッキング用の送信信号パターンとしても使用される。
【００４１】
差動時空間復号部６以降の処理は実施の形態１の受信装置１００と同様である。また、軟判定データによる誤り訂正復号を行う場合は、ブロック判定部５への入力、すなわちＤＦＥ等化用フィルタ部１１の出力を差動時空間復号部６に与えるように構成すればよい。
【００４２】
以上の実施の形態１，２においては、受信アンテナ本数を２としたが、受信アンテナ数はこれに限定されない。受信アンテナ数が２以外の場合、実施の形態１，２の受信装置１００，１００ａでは、受信アンテナ数と同じ数のＲＦ部および伝搬路推定部が必要となる。受信装置１００では、線形等化部４に対して、各ＲＦ部からの信号および各伝搬路推定部からの伝搬路推定値が入力され、線形等化部４は、各ＲＦ部から入力された信号に対して等化処理を行い、等化結果を合成した上でブロック判定部５へ出力する。受信装置１００ａでは、各ＲＦ部からの出力信号および各伝搬路推定部から出力された伝搬路推定値がＦＦフィルタ１２に入力され、ＦＦフィルタ１２は各ＲＦ部から入力された信号に対してフィルタ処理を行う。また、各伝搬路推定部から出力された伝搬路推定値がＦＢフィルタ１３に入力され、ＦＢフィルタ１３はブロック判定部５から入力された判定結果に対してフィルタ処理を行う。
【００４３】
このように、実施の形態２の受信装置１００ａは、判定帰還型等化器であるＤＦＥ等化用フィルタ部１１を備え、ＤＦＥ等化用フィルタ部１１での等化結果に対する判定を１ブロックごとに行い、この判定結果をＤＦＥ等化用フィルタ部１１にフィードバックするとともに、判定結果を使用して伝搬路の時変動に追従するためのトラッキング処理を行うこととした。これにより、差動復号後の判定結果を再符号化してトラッキングで使用する場合に問題となる誤り伝搬の発生を回避することができる。また、差動復号前にトラッキング処理で必要な判定処理を行うことによる信号点間距離の狭さに起因する誤判定を抑えることができ、１シンボルごとに判定を行う場合と比較して、判定性能を向上させることができる。すなわち、１シンボルごとに判定を行う場合と比較して、トラッキング性能および等化性能を向上させることができる。
【００４４】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００４５】
１−１，１−２  アンテナ、２−１，２−２  ＲＦ部、３−１，３−２  伝搬路推定部、４  線形等化部、５  ブロック判定部、６  差動時空間復号部、７  誤り訂正復号部、１１  ＤＦＥ等化用フィルタ部、１２  ＦＦフィルタ、１３  ＦＢフィルタ、１４  加算部。
【図１】
2016154305.tif 000005
【図２】
2016154305.tif 000006